(57)【要約】【課題】上下二段以上に積層した状態で包装フィルムに被包された衛生用品を、上段に配置された衛生用品から順次適切に取出すことが可能な衛生用品の包装体を提供する。【解決手段】包装フィルム２によって、上下二段以上に積層した状態の衛生用品３が被包された衛生用品の包装体１であって、包装フィルム２には、衛生用品の取出口５を形成するためのミシン目４が形成されており、このミシン目４は、衛生用品の包装体１の上方から下方にかけて包装フィルム２の一部を帯状に切取るように形成されており、且つ、上下に積層した状態の衛生用品３の境界部分１０において、ミシン目４の破断時における抵抗が下方１２に向かうにつれて段階的に大きくなるように形成されている。【選択図】図１
2008239224.tif 000002
【特許請求の範囲】
【請求項１】
衛生用品を被包する包装フィルムと、前記包装フィルムに被包された前記衛生用品とを備え、複数の前記衛生用品が、上下二段以上に積層した状態で前記包装フィルムに被包された衛生用品の包装体であって、
前記包装フィルムの、上下に積層した状態で被包された前記衛生用品の側面に相当する部位に、前記衛生用品の取出口を形成するためのミシン目が形成されており、
前記ミシン目は、前記衛生用品の包装体の上方から下方にかけて前記側面に相当する部位の一部を帯状に切取るように形成されており、且つ、上下に積層した状態の前記衛生用品の境界部分において、前記ミシン目の破断時における抵抗が下方に向かうにつれて段階的に大きくなるように形成されている衛生用品の包装体。
【請求項２】
前記ミシン目は、上下に積層した状態の前記衛生用品の前記境界部分において、前記ミシン目を構成する隣り合う切れ目と切れ目との間隙が下方に向かうにつれて大きくなるように形成されている請求項１に記載の衛生用品の包装体。
【請求項３】
前記ミシン目は、上下に積層した状態の前記衛生用品の前記境界部分において、前記取出口が形成される領域の幅が下方に向かうにつれて段階的に広くなるように形成されている請求項１又は２に記載の衛生用品の包装体。
【請求項４】
前記ミシン目は、上下に積層した状態の前記衛生用品の前記境界部分において、前記ミシン目の破断時に掛かる力の方向に対して垂直に折れ曲がるように形成されている請求項１又は２に記載の衛生用品の包装体。
【請求項５】
前記ミシン目は、上下に積層した状態の前記衛生用品の前記境界部分において、下方から上方に逆行する切り返し部を有するように形成されている請求項１又は２に記載の衛生用品の包装体。
【発明の詳細な説明】
【技術分野】
【０００１】
本発明は、衛生用品の包装体に関する。更に詳しくは、複数の衛生用品が、上下二段以上に積層した状態で包装フィルムに被包された衛生用品の包装体において、上段に配置された衛生用品から順次適切に衛生用品を取出すことが可能な衛生用品の包装体に関する。
【背景技術】
【０００２】
従来、使い捨ておむつ、生理用ナプキン、トイレットペーパー、ティシュペーパー等をはじめとする使い捨て紙製品等の衛生用品を包装した包装体として、樹脂製の包装フィルムによって複数の衛生用品を包装した包装体が用いられている（例えば、特許文献１〜３参照）。
【０００３】
近年、このような包装体として、一袋単位の衛生用品の収納数を多くするために、コンパクトに折畳まれた複数個の衛生用品を、例えば、列方向（包装体の幅方向）に複数個配列させるとともに、これらを上下二段以上に積み重ねた状態で包装したものが用いられている。
【０００４】
このような包装体には、包装体を開封して衛生用品の取出口を形成するためのミシン目が形成されている。例えば、上下二段以上に積層した状態の衛生用品を包装した包装体においては、上記ミシン目が、包装体の側面の上方側に形成されており、この包装体の側面の上方に取出口を形成し、最上段に配置された衛生用品から順番に衛生用品を取出して使用することができるように構成されている。
【０００５】
【特許文献１】特許第３００９４０６号公報
【特許文献２】実用新案登録第２５９１６４６号公報
【特許文献３】実開平６−３００８１号公報
【発明の開示】
【発明が解決しようとする課題】
【０００６】
しかしながら、上記したように取出口を形成するためのミシン目が、包装体の側面の上方のみに形成されている場合には、最上段の衛生用品を使い切った後には、この取出口から手を差し込んで、二段目以降の衛生用品を取出さねばならず、最上段以外の衛生用品の取出しが不便であるという問題があった。
【０００７】
また、最上段の衛生用品を使い切った後に、側面の取出口を下方に無理に切り裂いて広げた場合には、適切な形状に切り裂くことができず、思わぬ方向に取出口が広がってしまい、衛生用品を取出し難くなってしまったり、一度に複数個の衛生用品が出てきてしまったりするという問題があった。
【０００８】
また、従来の包装体においては、包装体の側面の上方から下方にかけて連続するミシン目が形成されているものも提案されているが、使用開始時に、上方から下方にかけて連続する取出口が形成されてしまうため、上段に積層された衛生用品を取出す際に、より下段に積層された衛生用品が同時に出てきてしまうという問題があった。また、比較的多くの衛生用品が包装体（具体的には、包装体を構成する包装フィルム）に包装されている状態で、上記側面の上方から下方にかけて大きな取出口が形成されてしまうため、包装体が型崩れしてしまい、積層された衛生用品が、包装体の中で崩れてしまうという問題もあった。
【０００９】
本発明は、このような従来技術の課題を解決するためになされたものであって、複数の衛生用品が、上下二段以上に積層した状態で包装フィルムに被包された衛生用品の包装体において、上段に配置された衛生用品から順次適切に衛生用品を取出すことが可能な衛生用品の包装体を提供するものである。
【課題を解決するための手段】
【００１０】
本発明者は、前記のような従来技術の課題を解決するために鋭意検討した結果、衛生用品を被包する包装フィルムに衛生用品の取出口用のミシン目を形成する際に、上下に積層した状態の衛生用品の境界部分において、ミシン目の破断時における抵抗が下方に向かうにつれて大きくなるように形成することによって、上記ミシン目を上方から下方にかけて一度に破断させずに、段階的に破断することができ、上記課題が解決されることに想到し、本発明を完成させた。具体的には、本発明により、以下の衛生用品の包装体が提供される。
【００１１】
［１］  衛生用品を被包する包装フィルムと、前記包装フィルムに被包された前記衛生用品とを備え、複数の前記衛生用品が、上下二段以上に積層した状態で前記包装フィルムに被包された衛生用品の包装体であって、前記包装フィルムの、上下に積層した状態で被包された前記衛生用品の側面に相当する部位に、前記衛生用品の取出口を形成するためのミシン目が形成されており、前記ミシン目は、前記衛生用品の包装体の上方から下方にかけて前記側面に相当する部位の一部を帯状に切取るように形成されており、且つ、上下に積層した状態の前記衛生用品の境界部分において、前記ミシン目の破断時における抵抗が下方に向かうにつれて段階的に大きくなるように形成されている衛生用品の包装体。
【００１２】
［２］  前記ミシン目は、上下に積層した状態の前記衛生用品の前記境界部分において、前記ミシン目を構成する隣り合う切れ目と切れ目との間隙が下方に向かうにつれて大きくなるように形成されている前記［１］に記載の衛生用品の包装体。
【００１３】
［３］  前記ミシン目は、上下に積層した状態の前記衛生用品の前記境界部分において、前記取出口が形成される領域の幅が下方に向かうにつれて段階的に広くなるように形成されている前記［１］又は［２］に記載の衛生用品の包装体。
【００１４】
［４］  前記ミシン目は、上下に積層した状態の前記衛生用品の前記境界部分において、前記ミシン目の破断時に掛かる力の方向に対して垂直に折れ曲がるように形成されている前記［１］又は［２］に記載の衛生用品の包装体。
【００１５】
［５］  前記ミシン目は、上下に積層した状態の前記衛生用品の前記境界部分において、下方から上方に逆行する切返し部を有するように形成されている前記［１］又は［２］に記載の衛生用品の包装体。
【発明の効果】
【００１６】
本発明の衛生用品の包装体は、上下二段以上に積層した状態で包装フィルムに被包された衛生用品を、上段に配置された衛生用品から順次適切に取出すことができる。このため、上段に配置された衛生用品を取出す際に、下段に配置された衛生用品が同時に出てきてしまうということを有効に防止することができる。
【００１７】
また、使用開始時に、不必要に大きな取出口、具体的には、上方から下方にかけて連続する取出口が形成されないため、包装フィルムが型崩れしてしまうことや、積層した状態の衛生用品が袋状に構成された包装フィルムの内部で崩れてしまうことを有効に防止することができる。
【発明を実施するための最良の形態】
【００１８】
以下、本発明の衛生用品の包装体を実施するための最良の形態について、図面を参照しながら具体的に説明する。但し、本発明はその発明特定事項を備える衛生用品の包装体を広く包含するものであり、以下の実施形態に限定されるものではない。
【００１９】
［１］衛生用品の包装体：
本発明の衛生用品の包装体の一の実施形態について具体的に説明する。本発明の衛生用品の包装体は、図１に示すように、衛生用品３を被包する包装フィルム２と、この包装フィルム２に被包された衛生用品３とを備え、複数の衛生用品３が、上下二段以上に積層した状態で包装フィルム２に被包された衛生用品の包装体１であって、包装フィルム２の、上下に積層した状態で被包された衛生用品３（衛生用品の積層体）の側面に相当する部位６に、衛生用品３の取出口５を形成するためのミシン目４が形成されており、このミシン目４は、衛生用品の包装体１の上方１１から下方１２にかけて上記側面に相当する部位６の一部を帯状に切取るように形成されており、且つ、上下に積層した状態の衛生用品３の境界部分１０において、ミシン目４の破断時における抵抗が下方１２に向かうにつれて段階的に大きくなるように形成されている。ここで、図１は、本発明の衛生用品の包装体の一の実施形態を模式的に示す斜視図である。
【００２０】
このように本発明の衛生用品の包装体は、上記ミシン目が、上下に積層した状態の衛生用品の境界部分において、ミシン目の破断時における抵抗が下方に向かうにつれて段階的に大きくなるように形成されているため、ミシン目を上方から下方にかけて段階的に破断することができる。即ち、破断時における抵抗が大きくなる箇所にて一時的に破断を停止することができる。このため、例えば、衛生用品の包装体を開封する際には、図２に示すように、包装フィルム２の上記側面に対応する部位６の上方１１から、最上段に配置された衛生用品３ａと上から二段目に配置された衛生用品３ｂとの境界部分１０ａまでミシン目４を破断させて、最上段に配置された衛生用品３ａに対応した取出口５を形成することができる。
【００２１】
その後、最上段に配置された衛生用品を使い切った後には、図３に示すように、上記ミシン目４を更に下方１２に向けて破断させて、具体的には、上から二段目に配置された衛生用品３ｂと上から三段目に配置された衛生用品３ｃとの境界部分１０ｂまでミシン目４を破断させて、上から二段目に配置された衛生用品３ｂに対応した取出口５を形成する。このようにして、衛生用品３の消費状況に応じて、上記ミシン目４を上方１１から下方１２にかけて段階的に破断して、衛生用品３の取出口５を随時広げていくことができる。このため、積層した状態の衛生用品３の取出しが容易となる。ここで、図２及び図３は、図１に示す衛生用品の包装体のミシン目の一部を破断させた例を示す斜視図である。
【００２２】
なお、図１〜図３においては、上下三段に積層した状態の衛生用品３を被包した衛生用品の包装体１の例を示しているが、本発明における衛生用品３は、二段、又は四段以上に積層した状態のものであってもよい。このような場合には、それぞれの積層数に対応した境界部分において、ミシン目の破断時における抵抗が下方に向かうにつれて段階的に大きくなるように構成される。
【００２３】
例えば、ミシン目の破断時における抵抗が一定である場合には、使用開始時に、ミシン目の破断を途中で止めることができずに、上方から下方にかけて一度にミシン目を破断してしまい、不必要に大きな取出口が形成されてしまう。このため、包装フィルムが型崩れしてしまったり、積層した状態で被包された衛生用品が、袋状に構成され包装フィルムの内部で崩れてしまったりするという問題が生じる。本発明の衛生用品の包装体においては、衛生用品の消費状況に応じて取出口を随時広げていくことができるため、不必要に大きな取出口が形成されず、包装フィルムが型崩れしてしまうことや、積層された衛生用品が包装フィルムの内部で崩れてしまうことを有効に防止することができる。
【００２４】
なお、本明細書において、衛生用品の包装体の「上方」とは、衛生用品の包装体を持ち運ぶ際に上側となる部位を意味し、衛生用品の包装体の「下方」とは、衛生用品の包装体を持ち運ぶ際に下側（底側）となる部位を意味する。また「上下に積層した状態」とは、衛生用品の包装体を持ち運ぶ際に、二以上の衛生用品が鉛直方向に積層した状態のことを意味する。
【００２５】
なお、本発明の衛生用品の包装体は、上記したように、衛生用品の取出口を形成するためのミシン目が、積層した状態の衛生用品の境界部分において、破断時における抵抗が下方に向かうにつれて段階的に大きくなるように形成されており、衛生用品の境界部分において、上方からのミシン目の破断を一時停止することができるように構成されていれば、ミシン目の形状等については特に制限はない。
【００２６】
例えば、図１に示す衛生用品の包装体１は、上下に積層した状態の衛生用品３の境界部分１０において、ミシン目４を構成する隣り合う切れ目と切れ目との間隙が下方１２に向かうにつれて大きくなるように形成された例を示すものである。このように構成することによって、上記境界部分１０において、ミシン目４の破断時における抵抗を段階的に大きくしている。即ち、図１に示す衛生用品の包装体１においては、ミシン目４のピッチが、上下三層に積層した状態の衛生用品３に対応して、下方１２に向かうにつれて三段階に大きくなるように構成されている。
【００２７】
また、本発明の衛生用品の包装体の他の実施形態としては、例えば、包装フィルムに形成されるミシン目が、上下に積層した状態の衛生用品の境界部分において、取出口が形成される領域（以下、「取出口形成領域」ということがある）の幅が下方に向かうにつれて段階的に広くなるように形成されたものであってもよい。例えば、図４の示す衛生用品の包装体１においては、包装フィルム２に形成されたミシン目４が、上記境界部分１０において、取出口形成領域の外側の斜め下方に向かって広がるように形成された例を示している。このように、上記境界部分１０において、ミシン目４の進行方向を取出口形成領域の外側に向かうように変化させて取出口形成領域の幅を広げることによって、帯状に切取られる取出口５の幅を広くして、ミシン目４の破断時における抵抗を大きくすることができる。これにより、衛生用品３の境界部分１０において、ミシン目４の破断を一時停止することが可能となる。
【００２８】
また、本発明の衛生用品の包装体の他の実施形態としては、例えば、このミシン目が、上下に積層した状態の衛生用品の境界部分において、ミシン目の破断時に掛かる力の方向に対して垂直に折れ曲がるように形成されたものであってもよい。このような衛生用品の包装体においては、ミシン目が取出口形成領域の内側に向かって垂直に折れ曲がるように形成されていてもよいし、外側に向かって垂直に折れ曲がるように形成されていてもよい。例えば、ミシン目が破断時に掛かる力の方向に対して垂直に折れ曲がる場合には、取出口形成領域の内側に向かって折れ曲がる場合でも、破断時における抵抗が大きくなり、衛生用品の境界部分において、ミシン目の破断を一時停止することが可能となる。
【００２９】
更に、本発明の衛生用品の包装体の他の実施形態としては、例えば、このミシン目が、上下に積層した状態の衛生用品の境界部分において、下方から上方に逆行する切り返し部を有するように形成されたものであってもよい。例えば、図５の示す衛生用品の包装体１においては、包装フィルム２に形成されたミシン目４は、上記境界部分１０において、下方１２から上方１１に逆行する切り返し部７を有するように形成された例を示している。なお、図５に示す切り返し部７は、取出口５が形成される領域（取出口形成領域）よりも外側を経由して形成されているが、例えば、図示は省略するが、取出口が形成される領域（取出口形成領域）の内側を経由して形成されていてもよい。
【００３０】
［１−１］包装フィルム：
本発明の衛生用品の包装体に用いられる包装フィルムは、衛生用品を被包することによって袋状に構成されたフィルムである。例えば、このような包装フィルムとしては、ガセット型の包装体を構成するフィルム材料等を好適に用いることができる。
【００３１】
例えば、ガセット型の包装体とは、図６に示すような、両側縁２２，２４に襠部２６，２８が形成されたガセットチューブ３０を用いて、そのガセットチューブ３０の端縁開口が封着されることにより、全体が袋状に構成されたガセットチューブ３２に衛生用品３が被包された包装体である。通常は、図６に示すように、上端縁４２に沿って直線状の封着部３４，３６を二箇所形成し、上端縁４２側の端部開口を封着し、下端縁４６側の端部開口が開放された袋状（袋状になったガセットチューブ３２）とする。この封着部３４，３６は、ヒートシール等の従来公知の方法により形成することができる。この下端縁４６側の開放された端部開口から衛生用品３（例えば、折り畳まれた使い捨ておむつの束等）を挿入し、下端縁４６側の開口をヒートシールによって封着して、上端縁４２側と同様に封着部を形成することにより、図１に示すような衛生用品の包装体１を製造することができる。
【００３２】
本発明の衛生用品の包装体に用いられる包装フィルムとしては、例えば、樹脂製のフィルムを好適に用いることができる。樹脂の種類については特に制限はなく、通常、包装用のフィルムに使用されるポリエチレン、ポリプロピレン等の樹脂を用いることができる。中でも、延伸性や強度の面で、ポリエチレンフィルムが好ましく、袋の不透明度を上げるために、酸化チタンを含有させたポリエチレンフィルムが更に好ましい。包装フィルムの厚さは、衛生用品の種類や重量によっても異なるが、５０〜１１０μｍとすることが好ましく、６５〜９０μｍとすることが更に好ましい。なお、本発明の衛生用品の包装体においては、包装フィルムとして紙製のものを用いることもできる。
【００３３】
上記した襠部とは、衛生用品を袋に詰めた際に広がるように構成された襞状の部分を意味する。通常は、山折り線、谷折り線、山折り線の順で折り目を形成し、襞状とする構成が一般的である。山折り線と谷折り線の間隔を調整することによって、形成される襠部の幅を調整することができる。襠部の幅は、衛生用品の形状等に応じて適宜選択することができる。例えば、衛生用品として子供用使い捨ておむつを被包する場合には、１００〜２６０ｍｍ程度とすればよいし、大人用使い捨ておむつを被包する場合には、１２０〜３２０ｍｍ程度とすればよい。
【００３４】
本発明の衛生用品の包装体に用いられる包装フィルムは、衛生用品の包装体を持ち運ぶ際の便宜のために、運搬用の把手が形成されていてもよい。例えば、図１に示す衛生用品の包装体１においては、袋状に構成された包装フィルムの上方１１側に、包装フィルムの上端縁を封着したフラップ部１４が形成されており、このフラップ部１４に手指を差し込むための開口部１５が形成され、この開口部１５の周縁に把手１３が形成されている。
【００３５】
なお、このような把手の形状については、図１に示す形態に限定されることはなく、例えば、図示は省略するが、上記フラップ部の一部を、包装フィルムの上方側に向かって凸となる形状に切り込むことによって開口部を形成したものであってもよい。
【００３６】
［１−１ａ］ミシン目：
本発明の衛生用品の包装体に用いられる包装フィルムには、これまでに説明したように、上下に積層した状態で被包された衛生用品の側面に相当する部位に、衛生用品の取出口を形成するためのミシン目が、前記側面に相当する部位の一部を帯状に切取るように、且つ、破断時における抵抗が下方に向かうにつれて段階的に大きくなるように形成されている。
【００３７】
なお、ミシン目を形成する切れ目の形状については、特に制限はなく、例えば、直線状の切れ目であってもよいし、例えば、包装業界でジッパーと呼称されている切れ目が鉤形に屈曲した開封用破断線（包装産業の周知・慣用技術集第２８１頁参照、昭和５３年１２月２０日特許庁発行）や、２重線のミシン目であってもよい。
【００３８】
また、図１に示す衛生用品の包装体１においては、このようなミシン目４が、前記側面に相当する部位６の一箇所に形成されているが、例えば、二箇所以上に取出口を形成するためのミシン目が形成されていてもよい。即ち、一つの衛生用品の包装体に対して、二つ以上の取出口を形成することができるように構成されたものであってもよい。
【００３９】
また、図１においては、包装フィルム２によって構成される袋体の正面側（又は背面側）に対してミシン目４が形成された場合の例を示しているが、例えば、包装フィルム２によって構成される袋体の側面（例えば、図６におけるガセットチューブ３０における両側縁２２，２４に相当する面）に、取出口を形成するためのミシン目が形成されていてもよい。
【００４０】
［１−２］衛生用品：
本発明の衛生用品の包装体に用いられる衛生用品としては、上下二段以上に積層した状態で包装フィルムに被包され得る衛生用品であれば特に制限はないが、使い捨ておむつ、生理用ナプキン、トイレットペーパー、ティシュペーパー等をはじめとする使い捨て紙製品を好適例として挙げることができる。このような使い捨て紙製品は、一袋単位の衛生用品の収納数を多くするために、コンパクトに折畳まれた状態で包装フィルムに被包される。
【００４１】
特に、このような使い捨て紙製品は、上記したように折畳まれ、更に圧縮された状態で包装フィルムに被包されることにより、一袋単位の収納数を更に多くすることが可能となる。
【００４２】
［２］衛生用品の包装体の製造方法：
次に、本発明の衛生用品の包装体の製造方法の一例を、包装フィルムとしてガセットチューブを用いて、図４に示す衛生用品の包装体１を製造する例により説明する。
【００４３】
図４に示すような本発明の衛生用品の包装体１は、図６に示すような方法で製造することができる。まず、両側縁２２，２４に襠部２６，２８が形成されたガセットチューブ３０を用意する。次いで、このガセットチューブ３０の一方の端縁開口（図６では上端縁４２側の開口）をヒートシールによって封着し、下端縁４６側が開放された袋状とする。封着は、ガセットチューブ３０の上端縁４２に沿って、直線状の二箇所の封着部３４，３６を形成することにより行う。この二箇所の封着部３４，３６の間がフラップ部１４となる。
【００４４】
ここで、ガセットチューブ３０の一の面に、衛生用品の取出口を形成するためのミシン目４を形成する。このミシン目４を形成する際には、袋状に形成した内部空間に二段以上に積層した状態で収納する衛生用品の境界部分に対応する位置にて、ミシン目の破断時における抵抗が下方（下端縁４６側）に向かうにつれて段階的に大きくなるように形成する。
【００４５】
なお、図６においては、上下に積層した状態の衛生用品３の境界部分１０において、取出口５が形成される領域の幅が下方（下端縁４６側）に向かうにつれて段階的に広くなるように形成しているが、例えば、図１に示す衛生用品の包装体１を製造する場合には、上下に積層した状態の衛生用品３の境界部分１０において、ミシン目４を構成する隣り合う切れ目と切れ目との間隙が下方１２に向かうにつれて大きくなるように形成し、また、図５に示す衛生用品の包装体１を製造する場合には、上下に積層した状態の衛生用品３の境界部分１０において、下方１２から上方１１に逆行する切り返し部７を有するように形成する。
【００４６】
また、上記した封着部３４，３６の間のフラップ部１４には、図４に示すように、把手１３の形状に沿って開口部１５を形成してもよい。
【００４７】
次に、袋状になったガセットチューブ３２の下端縁４６側の開口から、衛生用品３（例えば、折り畳まれた使い捨ておむつの束等）を挿入し、下端縁４６側の開口をヒートシールによって封着して、上端縁４２側と同様に封着部を形成することにより、衛生用品の包装体１（図４参照）を製造することができる。
【産業上の利用可能性】
【００４８】
本発明の衛生用品の包装体は、使い捨ておむつ、生理用ナプキン、トイレットペーパー、ティシュペーパー等を被包した衛生用品の包装体として利用することができる。特に、本発明の衛生用品の包装体は、上下二段以上に積層した状態で被包された衛生用品を、上段に配置された衛生用品から順次適切に取出すことができるため、例えば、一袋単位の衛生用品の収納数が多い、使い捨ておむつや生理用ナプキン等を包装した衛生用品の包装体として特に好適に用いることができる。
【図面の簡単な説明】
【００４９】
【図１】本発明の衛生用品の包装体の一の実施形態を示す斜視図である。
【図２】図１に示す衛生用品の包装体のミシン目の一部を破断させた一例を示す斜視図である。
【図３】図１に示す衛生用品の包装体のミシン目の一部を破断させた他の例を示す斜視図である。
【図４】本発明の衛生用品の包装体の他の実施形態を示す斜視図である。
【図５】本発明の衛生用品の包装体の他の実施形態を示す斜視図である。
【図６】本発明の衛生用品の包装体を製造する工程を示す工程図である。
【符号の説明】
【００５０】
１：衛生用品の包装体、２：包装フィルム、３，３ａ，３ｂ，３ｃ：衛生用品、４：ミシン目、５：取出口、６：側面に対応する部位、７：切り返し部、１０，１０ａ，１０ｂ：境界部分（衛生用品の境界部分）、１１：上方、１２：下方、１３：把手、１４：フラップ部、１５：開口部、２２，２４：側縁、２６，２８：襠部、３０：ガセットチューブ、３２：ガセットチューブ（袋状になったガセットチューブ）、３４，３６：封着部、４２：上端縁、４６：下端縁。
【図１】
2008239224.tif 000003
【図２】
2008239224.tif 000004
【図３】
2008239224.tif 000005
【図４】
2008239224.tif 000006
【図５】
2008239224.tif 000007
【図６】
2008239224.tif 000008